(57)【特許請求の範囲】
【請求項１】
加入者端末にサービスを提供するサービス提供サーバと、前記サービスの提供に必要なデータを有するホーム加入者サーバとを備えたデータ更新システムにおいて、
前記サービス提供サーバは、
データを記憶しておくデータ記憶手段と、
操作端末からデータ設定要求が送信され、前記ホーム加入者サーバを介して当該データ設定要求に係る要求が送信されたことを契機に、前記データ記憶手段に記憶されたデータを更新し、前記ホーム加入者サーバに更新後のデータを送信して当該ホーム加入者サーバのデータを更新させるデータ更新手段と、を有し、
前記ホーム加入者サーバは、
前記データ設定要求を受け付けた受付サーバによって問合せ信号が付与されている場合に、前記サービス提供サーバに前記要求を転送するプロキシとして動作し、
前記データ更新手段は、
前記問合せ信号内の値により、前記更新処理に係る更新処理パターンを変えることを特徴とするデータ更新システム。
【請求項２】
前記データ更新手段は、
前記サービス提供サーバ内でイベントが発生したことを契機に、前記更新処理を実行することを特徴とする請求項１記載のデータ更新システム。
【請求項３】
前記データ更新手段は、
前記加入者端末の登録状態が解除されたことを契機に、前記更新処理を実行することを特徴とする請求項１又は２記載のデータ更新システム。
【請求項４】
前記データ更新手段は、
前記更新処理を実行後に前記要求に対する応答を前記ホーム加入者サーバに返信する、又は、前記更新後のデータを前記要求に対する応答に付与して返信することを特徴とする請求項１乃至３のいずれかに記載のデータ更新システム。
【請求項５】
前記データ記憶手段に記憶されたデータは、
前記加入者端末に係るデータであることを特徴とする請求項１乃至４のいずれかに記載のデータ更新システム。
【請求項６】
加入者端末にサービスを提供するサービス提供サーバと、前記サービスの提供に必要なデータを有するホーム加入者サーバとで行うデータ更新方法において、
前記サービス提供サーバは、
データ記憶手段にデータを記憶しておくデータ記憶ステップと、
操作端末からデータ設定要求が送信され、前記ホーム加入者サーバを介して当該データ設定要求に係る要求が送信されたことを契機に、前記データ記憶手段に記憶されたデータを更新し、前記ホーム加入者サーバに更新後のデータを送信して当該ホーム加入者サーバのデータを更新させるデータ更新ステップと、を有し、
前記ホーム加入者サーバは、
前記データ設定要求を受け付けた受付サーバによって問合せ信号が付与されている場合に、前記サービス提供サーバに前記要求を転送するプロキシとして動作し、
前記データ更新ステップにおいて、
前記問合せ信号内の値により、前記更新処理に係る更新処理パターンを変えることを特徴とするデータ更新方法。
【発明の詳細な説明】
【技術分野】
【０００１】
本発明は、ＩＭＳにおけるデータ設定技術に関する。
【背景技術】
【０００２】
ＩＭＳ（ＩＰ  Ｍｕｌｔｉｍｅｄｉａ  Ｓｕｂｓｙｓｔｅｍ）における通信ネットワークの構成例を図８に示す（非特許文献１参照）。ＩＭＳでは、主に、加入者端末７００にサービスを提供するサービス提供サーバ（以下、ＣＳＣＦ）１００と、そのサービス提供に必要なデータを保持しているホーム加入者サーバ（以下、ＨＳＳ）２００と、通信網８００を介してユーザ端末５００やオペレータ端末６００からＣＳＣＦ１００やＨＳＳ２００に保持されているデータの参照要求や設定要求を受け付けるカスタマコントロールサーバ３００やＯＰＳ４００とで構成される。
【０００３】
ＨＳＳ２００は、加入者や当該加入者が使用する加入者端末７００に関する加入者情報、ＣＳＣＦ１００と当該ＣＳＣＦ１００に登録されている加入者端末７００との対応関係情報等のデータを保持している。それゆえ、ＨＳＳ２００は、登録中の加入者に対するデータ更新において、データの更新が必要とされるＣＳＣＦ１００を特定できる。
【０００４】
以下、カスタマコントロールサーバ３００が利用される場合を例に、従来のデータ更新処理について説明する。図９は、従来のデータ更新処理シーケンスを示す図である。
【０００５】
データ更新が必要とされる場合、まず、ユーザ端末５００により、カスタマコントロールサーバ３００を介してＨＳＳ２００にデータ参照要求（例えば、更新対象の加入者端末７００の電話番号を含むデータ参照要求）が送信され、その応答としてＨＳＳ２００に保持されている更新対象の加入者情報が取得される（ステップＳ６０１〜Ｓ６０４）。
【０００６】
次に、ユーザ端末５００により、その加入者端末７００に対して更新データを設定するデータ設定要求（例えば、更新対象の加入者端末７００の電話番号と更新データとを含むデータ設定要求）が、カスタマコントロールサーバ３００を介してＨＳＳ２００に送信される（ステップＳ６０５〜Ｓ６０６）。
【０００７】
その後、ＨＳＳ２００により、自装置内で保持している上記対応関係情報から更新対象の加入者端末７００を収容しているＣＳＣＦ１００が特定され、そのＣＳＣＦ１００に対して当該加入者端末７００の更新データが設定される（ステップＳ６０７〜Ｓ６１０）。
【先行技術文献】
【非特許文献】
【０００８】
【非特許文献１】Digital cellular telecommunications system (Phase 2+); Universal Mobile Telecommunications Sysmem (UMTS); LTE; IP Multimedia Subsystem (IMS); Stage 2、3GPP TS 23.228 version 9.3.0 Release 9、ETSI、2010年3月
【発明の概要】
【発明が解決しようとする課題】
【０００９】
ここで、ＣＳＣＦ１００が保持するログデータ等を加入者プロファイルとして扱うようなサービス（例えば、最後の着信番号を着信拒否番号として登録するサービス等）を提供したい場合、ＣＳＣＦ１００のデータをＨＳＳ２００で保持する必要がある。
【００１０】
しかしながら、ＣＳＣＦ１００のデータをＨＳＳ２００に設定する方法についてＩＭＳ内に規定されていないため、ＣＳＣＦ１００が保持するデータをＨＳＳで保持できないという課題があった。
【００１１】
本発明は、上記課題を鑑みてなされたものであり、その課題とするところは、ＣＳＣＦで保持するデータを利用したサービスを実現することにある。
【課題を解決するための手段】
【００１２】
請求項１記載のデータ更新システムは、加入者端末にサービスを提供するサービス提供サーバと、前記サービスの提供に必要なデータを有するホーム加入者サーバとを備えたデータ更新システムにおいて、前記サービス提供サーバは、データを記憶しておくデータ記憶手段と、操作端末からデータ設定要求が送信され、前記ホーム加入者サーバを介して当該データ設定要求に係る要求が送信されたことを契機に、前記データ記憶手段に記憶されたデータを更新し、前記ホーム加入者サーバに更新後のデータを送信して当該ホーム加入者サーバのデータを更新させるデータ更新手段と、を有し、前記ホーム加入者サーバは、前記データ設定要求を受け付けた受付サーバによって問合せ信号が付与されている場合に、前記サービス提供サーバに前記要求を転送するプロキシとして動作し、前記データ更新手段は、前記問合せ信号内の値により、前記更新処理に係る更新処理パターンを変えることを特徴とする。
【００１３】
本発明によれば、サービス提供サーバは、データ記憶手段に記憶されたデータを更新し、ホーム加入者サーバに更新後のデータを送信して当該ホーム加入者サーバのデータを更新させるため、サービス提供サーバが保持するデータをホーム加入者サーバで保持できることから、サービス提供サーバで保持するデータを利用したサービスを実現できる。また、本発明によれば、操作端末からデータ設定要求が送信され、ホーム加入者サーバを介して当該データ設定要求に係る要求が送信されたことを契機に、上記更新処理を実行するため、イベントの発生に応じて更新処理が実行されないことから、サービス提供サーバやホーム加入者サーバでのデータ更新頻度が低減され、サービス提供サーバとホーム加入者サーバ間における通信ネットワークの通信負荷や、それら各サーバの装置負荷を軽減できる。
【００１４】
請求項２記載のデータ更新システムは、請求項１記載のデータ更新システムにおいて、前記データ更新手段は、前記サービス提供サーバ内でイベントが発生したことを契機に、前記更新処理を実行することを特徴とする。
【００１５】
請求項３記載のデータ更新システムは、請求項１又は２記載のデータ更新システムにおいて、前記データ更新手段は、前記加入者端末の登録状態が解除されたことを契機に、前記更新処理を実行することを特徴とする。
【００１６】
本発明によれば、加入者端末の登録状態が解除されたことを契機に、上記更新処理を実行するため、イベントの発生に応じて更新処理が実行されないことから、ホーム加入者サーバでのデータ更新頻度が低減され、サービス提供サーバとホーム加入者サーバ間における通信ネットワークの通信負荷や、それら各サーバの装置負荷を軽減できる。
【００２０】
請求項４記載のデータ更新システムは、請求項１乃至３のいずれかに記載のデータ更新システムにおいて、前記データ更新手段は、前記更新処理を実行後に前記要求に対する応答を前記ホーム加入者サーバに返信する、又は、前記更新後のデータを前記要求に対する応答に付与して返信することを特徴とする。
【００２２】
請求項５記載のデータ更新システムは、請求項１乃至４のいずれかに記載のデータ更新システムにおいて、前記データ記憶手段に記憶されたデータは、前記加入者端末に係るデータであることを特徴とする。
【００２３】
請求項６記載のデータ更新方法は、加入者端末にサービスを提供するサービス提供サーバと、前記サービスの提供に必要なデータを有するホーム加入者サーバとで行うデータ更新方法において、前記サービス提供サーバは、データ記憶手段にデータを記憶しておくデータ記憶ステップと、操作端末からデータ設定要求が送信され、前記ホーム加入者サーバを介して当該データ設定要求に係る要求が送信されたことを契機に、前記データ記憶手段に記憶されたデータを更新し、前記ホーム加入者サーバに更新後のデータを送信して当該ホーム加入者サーバのデータを更新させるデータ更新ステップと、を有し、前記ホーム加入者サーバは、前記データ設定要求を受け付けた受付サーバによって問合せ信号が付与されている場合に、前記サービス提供サーバに前記要求を転送するプロキシとして動作し、前記データ更新ステップにおいて、前記問合せ信号内の値により、前記更新処理に係る更新処理パターンを変えることを特徴とする。
【発明の効果】
【００２４】
本発明によれば、ＣＳＣＦで保持するデータを利用したサービスを実現できる。
【図面の簡単な説明】
【００２５】
【図１】データ更新システムの機能ブロック構成を示す図である。
【図２】第１の実施の形態に係るデータ更新システムの動作シーケンスを示す図である。
【図３】第２の実施の形態（第１の方法）に係るデータ更新システムの動作シーケンスを示す図である。
【図４】第２の実施の形態（第２の方法）に係るデータ更新システムの動作シーケンス（第１の更新処理パターン）を示す図である。
【図５】第２の実施の形態（第２の方法）に係るデータ更新システムの動作シーケンス（第２の更新処理パターン）を示す図である。
【図６】第２の実施の形態（第２の方法）に係るデータ更新システムの動作シーケンス（第３の更新処理パターン）を示す図である。
【図７】第３の実施の形態に係るデータ更新システムの動作シーケンスを示す図である。
【図８】ＩＭＳにおける通信ネットワークの構成例を示す図である。
【図９】従来のデータ更新処理シーケンスを示す図である。
【発明を実施するための形態】
【００２６】
以下、本発明を実施する一実施の形態について図面を用いて説明する。但し、本発明は多くの異なる様態で実施することが可能であり、本実施の形態の記載内容に限定して解釈すべきではない。
【００２７】
〔第１の実施の形態〕
図１は、データ更新システムの機能ブロック構成を示す図である。本データ更新システムは、加入者端末にサービスを提供するサービス提供サーバ（以下、ＣＳＣＦ）１００と、そのサービスの提供に必要なデータを有するホーム加入者サーバ（以下、ＨＳＳ）２００とで主に構成され、ＩＭＳにおける通信ネットワークに配置される。
【００２８】
その通信ネットワークには、加入者により使用される加入者端末７００と、ユーザ端末からの要求を受け付けるカスタマコントロールサーバ３００と、オペレータ端末からの要求を受け付けるＯＰＳ４００と、データ更新時にユーザにより操作されるユーザ端末５００と、データ更新時にオペレータにより操作されるオペレータ端末６００とが更に配置され、図７に示したような接続構成を有している。
【００２９】
ＣＳＣＦ１００は、図１に示すように、加入者端末７００に係る全てのデータ（例えば、加入者端末７００に対する最後の着信番号等のログデータ等）を記憶しておくデータ記憶部１１と、あるタイミングでデータ記憶部１１からデータを読み出して更新し、ＨＳＳ２００に更新後のデータを送信して当該ＨＳＳ２００のデータを更新させるデータ更新部１２とで主に構成される。
【００３０】
ＨＳＳ２００は、ＣＳＣＦ１００でのサービスに必要なデータ（例えば、加入者や当該加入者が使用する加入者端末７００に関する加入者情報（加入者端末７００の電話番号等）、ＣＳＣＦ１００と当該ＣＳＣＦ１００に登録されている加入者端末７００との対応関係情報等）を記憶しておくデータ記憶部２１と、ＣＳＣＦ１００が保持しているデータをＣＳＣＦ１００から受信してデータ記憶部２１に記憶させるデータ更新部２２とで主に構成される。
【００３１】
なお、このような機能を具備するＣＳＣＦ１００及びＨＳＳ２００は、メモリ等の記憶手段やＣＰＵ等の制御・計算手段を有する情報処置装置により実現できる。また、その処理動作は、プログラムにより実行可能である。
【００３２】
続いて、本データ更新システムの動作について説明する。図２は、第１の実施の形態に係るデータ更新システムの動作シーケンスを示す図である。
【００３３】
ＣＳＣＦ１００において何かしらのイベントが発生したことを契機に、最初に、ＣＳＣＦ１００のデータ更新部１２は、そのイベントの発生に基づいてデータ記憶部１１に記憶されているデータを更新し、その更新後のデータを設定する設定要求をＨＳＳ２００に送信する（ステップＳ１０１〜Ｓ１０２）。
【００３４】
次に、ＨＳＳ２００のデータ更新部２２は、ＣＳＣＦ１００から送信された設定要求を受信し、ＣＳＣＦ１００で更新された更新後のデータをデータ記憶部２１に記憶（データ設定）させ、その設定要求に対する応答を返信する（ステップＳ１０３〜Ｓ１０４）。
【００３５】
以上より、本実施の形態によれば、ＣＳＣＦ１００は、自サーバ内でイベントが発生した場合に、データ記憶部１１に記憶されたデータを更新し、ＨＳＳ２００に更新後のデータを送信して当該ＨＳＳ２００のデータを更新させるので、ＣＳＣＦ１００が保持するデータをＨＳＳ２００で保持できることから、ＣＳＣＦ１００で保持するデータを利用したサービスを実現できる。
【００３６】
〔第２の実施の形態〕
第１の実施の形態で説明した動作は、ＣＳＣＦ１００で何らかのイベントが発生する毎に実行される。しかし、例えば、イベント例として呼処理が想定される場合、ＣＳＣＦ１００やＨＳＳ２００でのデータ更新頻度が高く、それらサーバでの装置負荷が上昇する等が考えられる。
【００３７】
そこで、本実施の形態では、データ更新頻度を低減させるために、（１）加入者端末７００のＲＥＧＩＳＴＥＲ状態（登録状態）が解除されたことを契機に、ＣＳＣＦ１００がＨＳＳ２００にデータを送信し、当該ＨＳＳ２００のデータを更新させる第１の方法と、（２）ユーザ又はオペレータがデータ設定要求を行ったことを契機、すなわち、ユーザ端末５００又はオペレータ端末６００といった操作端末からデータ設定要求が送信され、ＨＳＳ２００を介して当該データ設定要求に係る要求（設定要求又は参照要求）が送信されたことを契機に、ＣＳＣＦ１００がＨＳＳ２００にデータを送信し、当該ＨＳＳ２００のデータを更新させる第２の方法とについて以下説明する。
【００３８】
（第１の方法について）
最初に、第１の方法について説明する。図３は、第１の方法に係るデータ更新システムの動作シーケンスを示す図である。
【００３９】
加入者端末７００のＲＥＧＩＳＴＥＲ状態が解除されたことを契機に、ＣＳＣＦ１００のデータ更新部１２は、その状態解除に基づいてデータ記憶部１１に記憶されているデータを更新し、その更新後のデータを設定する設定要求をＨＳＳ２００に送信する（ステップＳ２０１〜Ｓ２０２）。
【００４０】
次に、ＨＳＳ２００のデータ更新部２２は、ＣＳＣＦ１００から送信された設定要求を受信し、ＣＳＣＦ１００で更新された更新後のデータをデータ記憶部２１に記憶（データ設定）させ、その設定要求に対する応答を返信する（ステップＳ２０３〜Ｓ２０４）。
【００４１】
図２に示した動作シーケンスと基本的には同様であるが、データ更新を開始する理由がイベント発生でないことから、ＣＳＣＦ１００やＨＳＳ２００でのデータ更新頻度が低減され、ＣＳＣＦ１００とＨＳＳ２００間における通信ネットワークの通信負荷や、それら各サーバの装置負荷を軽減できる。
【００４２】
（第２の方法について）
次に、第２の方法について説明する。この第２の方法については、例えば、３つの更新処理パターンが考えられる。以下、それら更新処理パターンについて、カスタマコントロールサーバ３００が利用される場合を例に説明する。
【００４３】
まず、第１の更新処理パターンについて説明する。図４は、第２の方法に係るデータ更新システムの動作シーケンス（第１の更新処理パターン）を示す図である。
【００４４】
ユーザ端末５００からデータ設定要求が送信された場合、カスタマコントロールサーバ３００は、ＣＳＣＦ１００に問合せが必要なことを示すフラグ（以下、ＣＴＬ）をデータ設定要求に付与し、ＨＳＳに２００に送信する（ステップＳ３０１〜Ｓ３０２）。
【００４５】
なお、ＣＴＬは、ＣＳＣＦ１００に対する問合せ信号の一例である。例えば、「ＣＴＬ＝ＸＸ（ＸＸは数字）」として用いられ、ＣＴＬの有無が問合せの有無を意味し、ＸＸの数字で第１の更新処理パターン〜第３の更新処理パターン（後述）が定義される。ここでは、第１の更新処理パターンを示す数字が記載されており、その第１の更新処理パターンとして後述するステップＳ３０４以降の処理が実行される。
【００４６】
次に、ＨＳＳ２００は、受信したデータ設定要求にＣＴＬが付与されている場合、データ設定を行うことなくプロキシとして動作し、そのデータ設定要求をそのままＣＳＣＦ１００に転送する（ステップＳ３０３）。
【００４７】
次に、ＣＳＣＦ１００のデータ更新部１２は、ＨＳＳ２００からＣＴＬ付きのデータ設定要求を受信したことを契機に、その要求に基づいてデータ記憶部１１に記憶されているデータを更新し、その更新後のデータを設定する設定要求をＨＳＳ２００に送信する（ステップＳ３０４〜Ｓ３０５）。
【００４８】
次に、ＨＳＳ２００のデータ更新部２２は、ＣＳＣＦ１００から送信された設定要求を受信し、ＣＳＣＦ１００で更新された更新後のデータをデータ記憶部２１に記憶（データ設定）させ、その設定要求に対する応答を返信する（ステップＳ３０６〜Ｓ３０７）。
【００４９】
最後に、ＣＳＣＦ１００のデータ更新部１２は、ＨＳＳ２００でのデータ更新完了後、ステップＳ３０３で受信したデータ設定要求に対する応答を返信する（ステップＳ３０８〜Ｓ３１０）。
【００５０】
次に、第２の更新処理パターンについて説明する。図５は、第２の方法に係るデータ更新システムの動作シーケンス（第２の更新処理パターン）を示す図である。
【００５１】
ここでは、ＣＳＣＦ１００のデータを利用する必要がある場合について説明する。その場合には、ＣＳＣＦ１００からデータを一旦取得した後に、カスタマコントロールサーバ３００からデータ更新・データ設定を行う。以下、詳述する。
【００５２】
ユーザ端末５００からデータ設定要求が送信された場合、カスタマコントロールサーバ３００は、ＣＳＣＦ１００に問合せが必要なことを示すＣＴＬを付与したデータ参照要求をＨＳＳに２００に送信する（ステップＳ４０１〜Ｓ４０２）。
【００５３】
次に、ＨＳＳ２００は、受信したデータ参照要求にＣＴＬが付与されている場合、プロキシとして動作し、そのデータ参照要求をそのままＣＳＣＦ１００に転送する（ステップＳ４０３）。
【００５４】
次に、ＣＳＣＦ１００は、ＨＳＳ２００からＣＴＬ付きのデータ参照要求を受信したことを契機に、そのＣＴＬの値で定義された動作規定をもとに、必要な情報を取得してＨＳＳ２００に返信する（ステップＳ４０４〜Ｓ４０５）。
【００５５】
次に、カスタマコントロールサーバ３００は、取得した情報に基づいて特定されたデータ更新対象のＣＳＣＦ１００に対するデータ設定要求をＨＳＳ２００に送信し（ステップＳ４０６）、ＨＳＳ２００は、その特定されたＣＳＣＦ１００に当該データ設定要求を送信する（ステップＳ４０７）。
【００５６】
そして、ＣＳＣＦ１００のデータ更新部１２は、そのデータ設定要求に基づいてデータ記憶部１１に記憶されているデータを更新した後に、その設定要求に対する応答を返信する（ステップＳ４０８〜Ｓ４１１）。
【００５７】
なお、ＨＳＳ２００は、ステップＳ４０４によりＣＳＣＦ１００が保持するデータを受信することから、ＨＳＳ２００のデータ更新部２２によるデータ設定処理は、当該ステップＳ４０４以降のいずれの段階で実行してもよい。
【００５８】
最後に、第３の更新処理パターンについて説明する。図６は、第２の方法に係るデータ更新システムの動作シーケンス（第３の更新処理パターン）を示す図である。
【００５９】
ユーザ端末５００からデータ設定要求が送信された場合、カスタマコントロールサーバ３００は、ＣＳＣＦ１００に問合せが必要なことを示すＣＴＬをデータ設定要求に付与し、ＨＳＳに２００に送信する（ステップＳ５０１〜Ｓ５０２）。
【００６０】
次に、ＨＳＳ２００は、受信したデータ設定要求にＣＴＬが付与されている場合、データ設定を行うことなくプロキシとして動作し、そのデータ設定要求をそのままＣＳＣＦ１００に転送する（ステップＳ５０３）。
【００６１】
次に、ＣＳＣＦ１００のデータ更新部１２は、ＨＳＳ２００からＣＴＬ付きのデータ設定要求を受信したことを契機に、その要求に基づいてデータ記憶部１１に記憶されているデータを更新し、その更新後のデータを当該設定要求に対する応答に含めてＨＳＳ２００に返信する（ステップＳ５０４〜Ｓ５０５）。
【００６２】
次に、ＨＳＳ２００のデータ更新部２２は、ＣＳＣＦ１００からの応答に含まれている更新後のデータをデータ記憶部２１に記憶（データ更新）し、ステップＳ５０２で受信したデータ設定要求に対する応答を返信する（ステップＳ５０６〜Ｓ５０８）。
【００６３】
なお、第１，第２の更新処理パターンは、３ＧＰＰのｄｉａｍｅｔｅｒの規定内で実現する方式であり、第３の更新処理パターンは、そのｄｉａｍｅｔｅｒの規定を拡張（応答信号の拡張）する方式である。
【００６４】
以上より、本実施の形態によれば、（１）加入者端末７００のＲＥＧＩＳＴＥＲ状態が解除されたことを契機に、又は、（２）ユーザ端末５００又はオペレータ端末６００からデータ設定要求が送信され、ＨＳＳ２００を介して当該データ設定要求に係る要求（設定要求又は参照要求）が送信されたことを契機に、ＣＳＣＦ１００及びＨＳＳ２００でのデータ更新処理を実行するので、イベントの発生に応じて更新処理が実行されないことから、ＣＳＣＦ１００やＨＳＳ２００でのデータ更新頻度が低減され、ＣＳＣＦ１００とＨＳＳ２００間における通信ネットワークの通信負荷や、それら各サーバの装置負荷を軽減できる。
【００６５】
〔第３の実施の形態〕
第１の実施の形態及び第２の実施の形態では、ＨＳＳ２００でＣＳＣＦ１００を特定する従来技術を前提に、ユーザやオペレータ、カスタマコントロールサーバ３００やＯＰＳ４００等の設定側がＣＳＣＦ１００を特定することなく更新処理を行う場合について説明した。
【００６６】
一方、本実施の形態では、その設定側がＣＳＣＦ１００を特定して更新処理を行う場合について説明する。図７は、第３の実施の形態に係るデータ更新システムの動作シーケンスを示す図である。
【００６７】
データ更新が必要とされる場合、まず、ユーザ端末５００は、カスタマコントロールサーバ３００を介してＨＳＳ２００にデータ参照要求を送信し、その応答としてＨＳＳ２００から更新対象の加入者情報を取得する（ステップＳ７０１〜Ｓ７０４）。
【００６８】
次に、カスタマコントロールサーバ３００は、そのＨＳＳ２００に対して宛先要求を送信し、その応答として更新対象の加入者端末７００を収容しているＣＳＣＦ１００の識別情報を取得する（ステップＳ７０５〜Ｓ７０６）。
【００６９】
次に、ユーザ端末５００は、その更新対象の加入者端末７００に対して更新データを設定するデータ設定要求をカスタマコントロールサーバ３００に送信する（ステップＳ７０７）。
【００７０】
次に、カスタマコントロールサーバ３００は、ＨＳＳ２００を介することなく、ステップＳ７０５，Ｓ７０６で特定されたＣＳＣＦ１００に対して受信したデータ設定要求を直接送信する（ステップＳ７０８）。
【００７１】
これ以降の動作は、第１の実施の形態で説明したステップＳ１０１〜Ｓ１０４と同様である（ステップＳ７０９〜Ｓ７１４）。但し、ＣＳＣＦ１００は、ステップＳ７０８でのデータ設定要求に対する応答を、ＨＳＳ２００ではなくカスタマコントロールサーバ３００に直接返信する。
【００７２】
なお、ステップＳ７０５，Ｓ７０６は、ステップＳ７０２，Ｓ７０３よりも前に実行してもよい。また、ステップＳ７０３のデータ参照応答の中に上記収容しているＣＳＣＦ１００の識別情報を含めることも可能であり、その場合には、ステップＳ７０５，Ｓ７０６を省略してもよい。また、ステップＳ７０２，Ｓ７０３をステップＳ７１３の後に実行してもよい。
【００７３】
最後に、第１〜第３の実施の形態、第１，第２の方法、第１〜第３の更新処理パターンは、いずれも、サービス仕様や通信ネットワーク形態に応じて自由に組み合わせることが可能である。勿論、それぞれ単独で実施することも可能である。
【符号の説明】
【００７４】
１００…ＣＳＣＦ
１１…データ記憶部
１２…データ更新部
２００…ＨＳＳ
２１…データ記憶部
２２…データ更新部
３００…カスタマコントロールサーバ
４００…ＯＰＳ
５００…ユーザ端末
６００…オペレータ端末
７００…加入者端末
８００…通信網
Ｓ１０１〜Ｓ１０４、Ｓ２０１〜Ｓ２０４、Ｓ３０１〜Ｓ３１０、Ｓ４０１〜Ｓ４１１、Ｓ５０１〜Ｓ５０８、Ｓ６０１〜Ｓ６１０、Ｓ７０１〜Ｓ７１４…処理ステップ
【図１】
0005512717.tif 000002
【図２】
0005512717.tif 000003
【図３】
0005512717.tif 000004
【図４】
0005512717.tif 000005
【図５】
0005512717.tif 000006
【図６】
0005512717.tif 000007
【図７】
0005512717.tif 000008
【図８】
0005512717.tif 000009
【図９】
0005512717.tif 000010